(57)【要約】【課題】画像形成装置から受信装置への読み取り画像の送信処理の高速化と、受信装置におけるユーザの操作負担の軽減を両立させることを目的とする。【解決手段】画像読み取り手段で読み取られる画像の送信先の情報処理装置を選択する選択手段と、選択手段により選択された送信先の情報処理装置に係る登録情報を取得し、登録情報に基づいて、本画像処理装置において画像の回転を必要とする情報処理装置か否かを判断する判断手段と、判断手段において画像の回転を必要としない情報処理装置であると判断された場合、画像の回転処理を行わず、情報処理装置に、読み取り画像を送信し、一方、判断手段において画像の回転を必要とする情報処理装置であると判断された場合、画像の回転処理を行って、情報処理装置に、回転処理された画像を送信する送信制御手段と、を有することによって前記課題を解決する。【選択図】図５
2007295520.tif 000002
【特許請求の範囲】
【請求項１】
画像読み取り手段で読み取った画像をファイル化して外部へ送信する画像処理装置であって、
前記画像読み取り手段で読み取られる画像の送信先の情報処理装置を選択する選択手段と、
前記選択手段により選択された送信先の情報処理装置に係る登録情報を取得し、前記登録情報に基づいて、本画像処理装置において画像の回転を必要とする情報処理装置か否かを判断する判断手段と、
前記判断手段において画像の回転を必要としない情報処理装置であると判断された場合、画像の回転処理を行わず、前記情報処理装置に、前記読み取り画像を送信し、一方、前記判断手段において画像の回転を必要とする情報処理装置であると判断された場合、画像の回転処理を行って、前記情報処理装置に、回転処理された画像を送信する送信制御手段と、
を有することを特徴とする画像処理装置。
【請求項２】
前記送信制御手段は、前記判断手段において画像の回転を必要としない情報処理装置であると判断された場合、画像の回転処理を行わず、前記情報処理装置に、前記読み取り画像の回転方向に係る回転方向情報を付加した前記読み取り画像を送信することを特徴とする請求項１に記載の画像処理装置。
【請求項３】
前記回転方向情報には、少なくとも、画像に係る原稿の読み取り方向情報と、画像に係る原稿の読み取り設定情報と、画像に係る原稿の開き方向情報と、の内、何れか１つ以上の情報が含まれることを特徴とする請求項２に記載の画像処理装置。
【請求項４】
ネットワークを介して通信可能な情報処理装置より、画像の回転を制御することが可能であることを示す回転可能情報を含む、前記登録情報を受信する登録情報受信手段と、
前記登録情報受信手段により受信された登録情報にしたがって、前記選択手段により送信先として選択する際の送信先の選択肢を設定する送信先設定手段と、
を更に有することを特徴とする請求項１乃至３の何れか１項に記載の画像処理装置。
【請求項５】
画像の回転を制御することが可能であることを示す回転可能情報を含む、登録情報を作成する登録情報作成手段と、
前記登録情報作成手段により作成された登録情報を、ネットワークを介して通信可能な画像処理装置に送信する登録依頼情報送信手段と、
前記画像処理装置より、前記画像処理装置において読み取られた読み取り画像を受信する画像受信手段と、
を有することを特徴とする情報処理装置。
【請求項６】
画像の回転を制御する画像回転制御手段と、
前記画像受信手段により受信された前記読み取り画像に、画像の回転方向に係る回転方向情報が付加されているか判断する判断手段と、
を更に有し、
前記判断手段により前記読み取り画像に回転方向情報が付加されていることと判断した場合に、前記画像回転制御手段は、前記回転方向情報に基づいて、前記読み取り画像を回転させることを特徴とする請求項５に記載の情報処理装置。
【請求項７】
前記回転方向情報には、少なくとも、画像に係る原稿の読み取り方向情報と、画像に係る原稿の読み取り設定情報と、画像に係る原稿の開き方向情報と、の内、何れか１つ以上の情報が含まれることを特徴とする請求項６に記載の情報処理装置。
【請求項８】
特定のフォルダにファイルが投入されたことを検知する検知手段を更に有し、
前記受信手段により受信された読み取り画像のファイルが、前記特定のフォルダに投入されたことを前記検知手段が検知した場合に、前記判断手段による判断が行われることを特徴とする請求項５乃至７の何れか１項に記載の情報処理装置。
【請求項９】
画像読み取り手段で読み取った画像をファイル化して外部へ送信する画像処理装置における画像処理方法であって、
前記画像読み取り手段で読み取られる画像の送信先の情報処理装置を選択する選択ステップと、
前記選択ステップにおいて選択された送信先の情報処理装置に係る登録情報を取得し、前記登録情報に基づいて、本画像処理装置において画像の回転を必要とする情報処理装置か否かを判断する判断ステップと、
前記判断ステップにおいて画像の回転を必要としない情報処理装置であると判断された場合、画像の回転処理を行わず、前記情報処理装置に、前記読み取り画像を送信し、一方、前記判断ステップにおいて画像の回転を必要とする情報処理装置であると判断された場合、画像の回転処理を行って、前記情報処理装置に、回転処理された画像を送信する送信制御ステップと、
を有することを特徴とする画像処理方法。
【請求項１０】
前記送信制御ステップでは、前記判断ステップにおいて画像の回転を必要としない情報処理装置であると判断された場合、画像の回転処理を行わず、前記情報処理装置に、前記読み取り画像の回転方向に係る回転方向情報を付加した前記読み取り画像を送信することを特徴とする請求項９に記載の画像処理方法。
【請求項１１】
情報処理装置における情報処理方法であって、
画像の回転を制御することが可能であることを示す回転可能情報を含む、登録情報を作成する登録情報作成ステップと、
前記登録情報作成ステップにより作成された登録情報を、ネットワークを介して通信可能な画像処理装置に送信する登録依頼情報送信ステップと、
前記画像処理装置より、前記画像処理装置において読み取られた読み取り画像を受信する画像受信ステップと、
を有することを特徴とする情報処理方法。
【請求項１２】
画像の回転を制御する画像回転制御ステップと、
前記画像受信ステップにより受信された前記読み取り画像に、画像の回転方向に係る回転方向情報が付加されているか判断する判断ステップと、
を更に有し、
前記判断ステップにおいて、前記読み取り画像に回転方向情報が付加されていることと判断した場合に、前記画像回転制御ステップは、前記回転方向情報に基づいて、前記読み取り画像を回転させることを特徴とする請求項１１に記載の情報処理方法。
【請求項１３】
請求項９又は１０に記載の画像処理方法をコンピュータに実行させることを特徴とするプログラム。
【請求項１４】
請求項１１又は１２に記載の情報処理方法をコンピュータに実行させることを特徴とするプログラム。
【請求項１５】
請求項１３又は１４に記載のプログラムを記憶したコンピュータ読み取り可能な記憶媒体。
【発明の詳細な説明】
【技術分野】
【０００１】
本発明は、画像処理装置、情報処理装置、画像処理方法及び情報処理方法に関する。
【背景技術】
【０００２】
一般に原稿読み取り装置で読み取られた画像は、原稿読み取り装置の物理的機構によって決まる読み取り方向に依存して、出来上がった画像の向きが決まる。そのため、向きを正立する方向にそろえた画像を得るためには、原稿の置き方、原稿の開き方向の設定、自動給紙装置（ＡＤＦ）か、原稿台からの読み取りか等読み取り方向を変える必要のある設定要素を全て考慮して、正立する方向に画像回転を行う必要がある。従来、この処理は原稿読み取り装置を構成する画像処理装置で行われていた。よって、原稿読み取り装置で読み取られた画像を使用するアプリケーションでは、画像の方向を考慮する必要無く、画像を利用することができた。
【０００３】
しかしながら、原稿読取装置は一般に、価格に伴う制約から通常のＰＣに比べ処理能力が劣る場合が多い。そのため、原稿読取装置で画像回転が行われると画像回転処理に時間がかかり、画像送信完了まで時間を要してしまう。近年は、ＰＯＤ（プリントオンデマンド）の入稿処理などのように、大量の枚数の原稿を読み取って電子化する業務が増えてきているため、画像処理装置からＰＣへの送信処理に時間を要すると、業務効率が低下してしまうおそれがある。
【０００４】
一方で、この回転処理を原稿読み取り装置で行わず、受信装置で受信してから受信側の表示装置でユーザが回転を指定して、画像を回転表示する方法が、例えば、特許文献１に開示されている。
【０００５】
更に、原稿読み取り装置で回転に限らず画像に対する画像処理を事前に指定してから画像を送信し、受信側で指定の画像処理を行う方法も、例えば、特許文献２に開示されている。
【０００６】
【特許文献１】特開平４−１５０１４２号公報
【特許文献２】特許第３１７５５５０号公報
【発明の開示】
【発明が解決しようとする課題】
【０００７】
このように、画像処理装置側で画像回転処理を行う場合、画像処理装置からＰＣへの送信処理に時間を要すると、業務効率が低下してしまうおそれがある。
【０００８】
また、一方で、画像処理装置側で画像回転処理を行わずに、受信装置側で画像回転処理を行う場合には、画像処理装置における画像回転処理に伴う処理時間を削減することは可能である。しかしながら、実際には受信装置が回転処理を行う能力を備えていない場合、回転処理が行われず、意図しない受信結果になってしまう。この場合、受信装置内の画像編集アプリケーションを用いて編集する場合、ユーザは、画像の向きを目視で確認しながら、ページ単位に回転方向と回転の実行とを指定する必要があり、ユーザの負担が大きくなってしまうという問題がある。
【０００９】
このように、画像形成装置から受信装置（ＰＣ）への読み取り画像の送信処理の高速化と、受信装置（ＰＣ）におけるユーザの操作負担の軽減を両立させることを考慮した仕組みが存在していない。
【００１０】
本発明は前記の問題点に鑑みなされたもので、画像形成装置から受信装置（ＰＣ）への読み取り画像の送信処理の高速化と、受信装置（ＰＣ）におけるユーザの操作負担の軽減を両立させる仕組みを提供することを目的とする。
【課題を解決するための手段】
【００１１】
そこで、前記問題を解決するため、本発明は、画像読み取り手段で読み取った画像をファイル化して外部へ送信する画像処理装置であって、前記画像読み取り手段で読み取られる画像の送信先の情報処理装置を選択する選択手段と、前記選択手段により選択された送信先の情報処理装置に係る登録情報を取得し、前記登録情報に基づいて、本画像処理装置において画像の回転を必要とする情報処理装置か否かを判断する判断手段と、前記判断手段において画像の回転を必要としない情報処理装置であると判断された場合、画像の回転処理を行わず、前記情報処理装置に、前記読み取り画像を送信し、一方、前記判断手段において画像の回転を必要とする情報処理装置であると判断された場合、画像の回転処理を行って、前記情報処理装置に、回転処理された画像を送信する送信制御手段と、を有することを特徴とする。
【００１２】
係る構成とすることにより、画像処理装置は、ユーザが送信先を選択すると、送信先の登録情報に基づいて、選択された送信先の情報処理装置が回転処理機能を有するか否かを判定する。そして、送信先の情報処理装置が回転処理機能を有する場合は、回転処理を行なわず、画像を送信し、一方、送信先の情報処理装置が回転処理機能を有さない場合は、回転処理を行なって、画像を送信することができる。よって、ユーザが送信先の装置の回転処理機能の有無を認識していなくとも操作可能にする共に、速やかにユーザの希望する適切な画像を提供することができる。
【００１３】
なお、画像処理装置とは、例えば、後述するスキャナ等に対応する。
【００１４】
また、本発明は、画像の回転を制御することが可能であることを示す回転可能情報を含む、登録情報を作成する登録情報作成手段と、前記登録情報作成手段により作成された登録情報を、ネットワークを介して通信可能な画像処理装置に送信する登録依頼情報送信手段と、前記画像処理装置より、前記画像処理装置において読み取られた読み取り画像を受信する画像受信手段と、を有することを特徴とする。
【００１５】
係る構成とすることにより、情報処理装置は、画像処理装置に、回転処理機能を有するか否かの情報を含む登録情報を送信する。そして、登録情報に基づいて、回転処理された又は回転処理されていない読み取り画像を受信することができる。つまり、情報処理装置は、回転処理機能を有する場合は、回転処理されていない読み取り画像を画像処理装置より受信して、自身で回転処理し、例えば、編集アプリケーション等に画像を提供することができる。また、情報処理装置は、回転処理機能を有していない場合は、回転処理された読み取り画像を受信して、例えば、編集アプリケーション等に画像を提供することができる。よって、速やかにユーザの希望する適切な画像を提供することができる。
【００１６】
なお、情報処理装置とは、例えば、後述するクライアントＰＣ等に対応する。
【００１７】
また、前記問題を解決するため、本発明は、画像処理方法、情報処理方法、プログラム及び記憶媒体としてもよい。
【発明の効果】
【００１８】
本発明によれば、画像形成装置から受信装置への読み取り画像の送信処理の高速化と、受信装置におけるユーザの操作負担の軽減を両立させることができる。
【発明を実施するための最良の形態】
【００１９】
以下、本発明の実施形態について図面に基づいて説明する。
【００２０】
図１は、本発明の画像処理システムに好適な画像読み取りシステムの構成を示す図である。図１に示されるように、画像読み取りシステムは、ネットワーク１１０によって接続された、スキャナ１１７（本発明の画像処理装置）と、クライアントＰＣ１１６（本発明の情報処理装置）とによって構成される。
【００２１】
スキャナ１１７の画像読み取り制御装置１０８は、操作パネル１０３を介してユーザから指定された読み取り指定に応じて、自動給紙装置１０１及び画像読み取り装置１０２を作動させる。そして、画像読み取り制御装置１０８は、画像読み取り装置１０２で読み取ったそのままの画像（画像情報）を画像記憶装置１０５に記憶する。
【００２２】
その後、画像読み取り制御装置１０８は、設定情報記憶装置１０４に記憶された送信先情報（該当する登録情報等）を参照し、必要に応じた判定処理を行う。そして、画像読み取り制御装置１０８は、画像処理装置１０６に、画像記憶装置１０５に記憶された画像に対する画像処理を行わせ、ＰＤＦ（Ｐｏｒｔａｂｌｅ  Ｄｏｃｕｍｅｎｔ  Ｆｏｒｍａｔ）又はＴＩＦＦフォーマットでファイル化する。前記判定処理の詳細は、後述する。
【００２３】
その後、画像読み取り制御装置１０８は、外部インターフェイス１０９及び画像受信先の外部インターフェイス１１１を通じて、画像受信先のクライアントＰＣ１１６の記憶装置１１２に画像を送信する。
【００２４】
次に、ユーザによる操作パネル１０３の操作に基づくスキャナ１１７における処理の詳細を、図２や、図１３を用いて説明する。図２は、操作パネル１０３の操作に基づくスキャナ１１７における処理の一例を示すフローチャートである。図１３は、スキャナ１１７のシステム構成の概要を示したブロック図である。なお、図１３は、本実施形態で用いられる機能構成のみを記載しており、その他の機能構成の記載は省略してある。
送信設定表示・入力部１３０３は、操作パネル１０３に操作ＵＩ（ユーザインタフェース）又は操作画面を表示し、ユーザの入力等を待つ。図９は、操作パネル１０３に表示される操作画面の一例を示す図である。
【００２５】
なお、ここで、送信設定管理部１３０２は、定型登録情報として、登録名称、解像度、読み取り（両面／片面）、送信形式、送信方法、送信先、無回転送信可否（回転可能情報）等の各設定を含む、登録情報を設定、管理している。図３は、定型登録情報の一例を示す図である。定型登録情報の登録方法については、後述する。なお、定型登録情報は、例えば、設定情報記憶装置１０４等に格納される。
【００２６】
図９に示される操作画面には、例えば、図３に示した各登録情報に対応する登録ボタン（又は送信先押しボタン）９０１が表示される。ユーザがこの登録ボタン（又は送信先押しボタン）９０１を選択することによって、スキャナ１１７は、登録情報を選択（又は特定）する（ステップＳ２０１）。
【００２７】
ユーザは、必要に応じて、操作画面の各設定ボタン９０２、９０３、９０４、９０５を操作し、選択した登録情報の各項目の情報を設定又は修正する。送信設定表示・入力部１３０３、又は送信設定管理部１３０２は、ユーザによる、操作パネル１０３における操作画面の操作に基づいて、ステップＳ２０１において選択した登録情報の各項目の情報を設定又は修正する（ステップＳ２０２）。その後、ユーザは、操作パネル１０３における操作画面を操作し、スキャン開始を指示する。前記指示を受け取ると、スキャナ１１７は画像読み取り部１３０１を駆動し、スキャン動作を開始する（ステップＳ２０３）。
【００２８】
図４は、本発明の情報処理装置であるクライアントＰＣ１１６上の文書処理システム１１３が定型業務登録を行うときの処理の一例を示すフローチャートである。なお、文書処理システム１１３は、データ受信時において、複数の動作を定義可能な構成であるものとする。なお、文書処理システム１１３は、ホットフォルダと呼ばれる、特定のフォルダに文書や画像ファイルが投入されることを検知する常駐フォルダ検知部１４０３を有している。この常駐フォルダ検知部１４０３により、ファイルの投入を検知して特定の動作を自動で実行することができる。自動実行の処理内容は、ホットフォルダ設定管理部１４０５によってユーザが予め設定することができる。
【００２９】
ユーザは、ホットフォルダ設定管理部１４０５により提供される詳細設定プロパティ画面（図１２）を介して、ホットフォルダとして動作する特定のフォルダの処理内容を設定することができる。
また、ユーザが詳細設定プロパティ画面から編集ボタン１２０３を押下することにより表示される詳細設定のユーザインタフェース（図１１）を介して、画像処理装置（スキャナ１１７）の読み取り時の動作設定についても予め設定することができる。この動作設定には、解像度、読み取り（両面／片面）、送信形式、送信方法が含まれており、読み取り設定登録部１４０６により記憶装置１１２に登録される。
そして、文書処理システム１１３は、設定された受信設定のうち、どの受信設定をスキャナ１１７に登録するか、例えばユーザの操作等に応じて選択する（ステップＳ８０１）。ユーザの操作手順の一例としては、スキャナ１１７に対して設定登録を行う場合、ホットフォルダとして動作する特定のフォルダをリストから選択し（１２０１）、或いは設定の新規追加ボタン１２０２を押下することで設定を新規に作成する。
ユーザが受信設定の登録ボタン１２０４を押下して、スキャナ１１７への設定の登録を指定する。すると、読み取り設定登録部１４０６は、設定登録しようとしているスキャナ１１７に対して設定登録が許可されているユーザであるか否か、ユーザ認証を行う（ステップＳ８０２）。例えば、読み取り設定登録部１４０６は、図１０に示される認証ダイアログを画面等に表示させ、ユーザによって入力された認証情報１００１、１００２、１００３に基づいて、ユーザ認証を行う。
【００３０】
認証に成功すると、読み取り設定登録部１４０６は、ユーザが指定した特定のフォルダに対する設定、即ち、解像度、読み取り（両面／片面）、送信形式、送信方法から、定型登録情報を作成する（登録情報作成）（ステップＳ８０３）。また、それに加えて、読み取り設定登録部１４０６は、クライアントＰＣ１１６自身の宛先情報と、フォルダの位置情報と、無回転送信が可能であることを示す設定も、定型登録情報に記載する。そして、読み取り設定登録部１４０６は、スキャナ１１７の送信設定管理部１３０２に送信する（登録依頼情報送信）（ステップＳ８０４）。
【００３１】
設定を受信したスキャナ１１７は、送信設定管理部１３０２で、受信した登録情報を含む定型登録情報を、設定情報記憶装置１０４に格納する（登録情報受信）。そして、スキャナ１１７は、設定情報記憶装置１０４格納されている登録情報にしたがって、送信設定表示・入力部１３０３が操作パネル１０３に、送信先を決定するための選択肢（送信先押しボタン）９０１を作成して表示する（送信先設定）。
【００３２】
なお、ユーザは操作パネル１０３を操作して設定情報記憶装置１０４等に格納さている登録情報又は定型登録情報を、更に編集してもよいし、操作パネル１０３を操作して新たに登録情報又は定型登録情報を作成し、設定情報記憶装置１０４等に格納してもよい。
【００３３】
次に、スキャナ１１７がスキャン動作を開始した後の判定処理の詳細を、図５に示す。図５は、スキャナ１１７がスキャン動作を開始した後の判定処理の詳細を示すフローチャートである。このスキャン動作は、画像処理装置の操作パネルに表示されている送信先選択画面を介して、ユーザが送信先を設定し、スキャン動作の実行を指示した場合に、実行される。
【００３４】
まず、スキャナ１１７の送信設定管理部１３０２は、図２の２０１等において選択された登録情報を参照する（ステップＳ４０１）。続いて、画像回転方向判定部１３０４は、スキャンし、画像記憶装置１０５に記憶していた画像に対して、登録情報に含まれる無回転送信可否情報に基づいて、回転処理を行うか否か判定する（ステップＳ４０２）。画像回転方向判定部１３０４は、該当する無回転送信可否情報が「可能」であった場合は、送信先のクライアントＰＣ１１６は、画像の回転処理を行う機能を有していると判断し、ステップＳ４０４に進む。一方、画像回転方向判定部１３０４は、該当する無回転送信可否情報が「不可能」であった場合は、送信先のクライアントＰＣ１１６は、画像の回転処理を行う機能を有していないと判断し、ステップＳ４０３に進む。
【００３５】
ステップＳ４０３では、スキャナ１１７の画像回転処理部１３０５が、スキャンした画像に対して画像が正立方向となるように画像の回転処理を行って、回転処理後の画像を送信先のクライアントＰＣ１１６に送信する（送信制御）。例えば、スキャン対象の原稿が両面であり、綴じ位置が短編上側である場合、裏面の原稿は、１８０度回転する必要がある。また、ＡＤＦに用紙が短辺給紙される方向に置かれている場合（Ａ４ノビの場合など）には、各面で９０度回転する必要がある。このように、原稿がどのような原稿であるかは、操作部を介してユーザが読み取り設定を行うことが可能である。このような読み取り設定は、既知の技術であるため、詳細な説明は省略する。
一方、ステップＳ４０４では、スキャナ１１７が、スキャンした画像に対して回転処理を行わず、前記画像に対応する、図６に示す画像処理情報を前記画像に付加して、送信先のクライアントＰＣ１１６に送信する（送信制御）。より具体的には、画像処理装置は、送信先に設定されている情報処理装置内の特定のフォルダ（ホットフォルダ）のパスが指定されているため、情報処理装置のこの特定のフォルダに、画像ファイルを格納すべく送信することになる。
【００３６】
ここで、図６は、画像処理情報の一例を示す図である。図６に示されるように、画像処理情報（回転方向情報）には、原稿の読み取り方向の情報と、原稿の読み取り設定の情報（例えば片面か、両面か等の情報）と、原稿の開き方向の情報と、が含まれる。
【００３７】
スキャナ１１７の画像読み取り制御装置１０８は、原稿をスキャンした際に、原稿の読み取り方向の情報と、原稿の読み取り設定の情報と、原稿の開き方向の情報と、を取得し、画像処理情報に付加する。また、画像読み取り制御装置１０８は、スキャンした結果の画像（画像データ）と、対応する画像処理情報と、を関連付けて、例えば、画像記憶装置１０５等に格納する。
【００３８】
スキャナ１１７は、外部インターフェイス１０９を通じて、無回転送信可否情報が「可能」である送信先のクライアントＰＣ１１６に画像を送信する。そして、スキャナ１１７は、予めユーザに指定された送信設定にしたがって、クライアントＰＣ１１６の特定のフォルダ（ホットフォルダ）に画像ファイルと、画像処理情報とを生成する。
クライアントＰＣ１１６のホットフォルダにファイルが生成されると、文書処理システム１１３の常駐フォルダ検知部１４０３がファイルの生成を検知し、予めユーザがホットフォルダ設定管理部１４０５に登録した処理設定にしたがい、自動処理を開始する。
図７は、クライアントＰＣ１１６で受信した、画像に付加された画像処理情報に基づいて、画像回転方向判定部１４０４及び、画像回転処理部１４０７が、画像回転方向を判定し、回転（画像回転制御）処理を行なう一例を示したフローチャートである。
【００３９】
画像回転方向判定部１４０４は、画像処理情報に含まれる、読み取り方向の情報に基づいて、基本的な回転方向を決定する（ステップＳ６０１〜ステップＳ６０７）。より詳細に説明すると、ステップＳ６０１において、画像回転方向判定部１４０４は、画像処理情報に含まれる、読み取り方向の情報に基づいて、読み取り方向は「上→下」か、否かを判定する。
【００４０】
画像回転方向判定部１４０４は、画像処理情報に含まれる、読み取り方向の情報に基づいて、読み取り方向が「上→下」であると判定すると、ステップＳ６０２に進む。ステップＳ６０２において、画像回転処理部１４０７は、画像の回転方向を０度として、ステップＳ６０８に進む。一方、画像回転方向判定部１４０４は、画像処理情報に含まれる、読み取り方向の情報に基づいて、読み取り方向が「上→下」でないと判定すると、ステップＳ６０３に進み、読み取り方向は「下→上」か、否かを判定する。
【００４１】
画像回転方向判定部１４０４は、画像処理情報に含まれる、読み取り方向の情報に基づいて、読み取り方向が「下→上」であると判定すると、ステップＳ６０４に進む。ステップＳ６０４において、画像回転処理部１４０７は、画像の回転方向を＋１８０度として、ステップＳ６０８に進む。一方、画像回転方向判定部１４０４は、画像処理情報に含まれる、読み取り方向の情報に基づいて、読み取り方向が「下→上」でないと判定すると、ステップＳ６０５に進み、読み取り方向は「左→右」か、否かを判定する。
【００４２】
画像回転方向判定部１４０４は、画像処理情報に含まれる、読み取り方向の情報に基づいて、読み取り方向が「左→右」であると判定すると、ステップＳ６０６に進む。ステップＳ６０６において、画像回転処理部１４０７は、画像の回転方向を＋２７０度として、ステップＳ６０８に進む。一方、画像回転方向判定部１４０４は、画像処理情報に含まれる、読み取り方向の情報に基づいて、読み取り方向が「左→右」でないと判定すると、ステップＳ６０７に進む。ステップＳ６０７において、画像回転処理部１４０７は、画像の回転方向を＋９０度とする。
【００４３】
なお、読み取り方向は、画像読み取り装置１０２の物理的機構によって決まる読み取り方向や、原稿の置き方、自動給紙装置（ＡＤＦ）１０１か、原稿台からの読み取りか等によって、画像読み取り装置１０２で画像が読み取られたときに一意に決まる。
【００４４】
更に、両面読み取りで、上下開きの設定であり、奇数番目の画像は、画像回転方向判定部１４０４において、更に１８０°回転が必要と判定される（ステップＳ６０８〜ステップＳ６１１）。より詳細に説明すると、ステップＳ６０８において、画像回転方向判定部１４０４は、画像処理情報に含まれる、読み取り設定（面）の情報に基づいて、読み取り設定が両面読み取りか、否かを判定する。
【００４５】
画像回転方向判定部１４０４は、画像処理情報に含まれる、読み取り設定の情報に基づいて、読み取り設定が両面読み取りであると判定すると、ステップＳ６０９に進み、読み取り設定が両面読み取りでないと判定すると、図７に示す処理を終了する。
【００４６】
ステップＳ６０９では、画像回転方向判定部１４０４が、画像処理情報に含まれる、開き方向の情報に基づいて、原稿が上下開きか、否かを判定する。画像回転方向判定部１４０４は、画像処理情報に含まれる、開き方向の情報に基づいて、原稿が上下開きであると判定すると、ステップＳ６１０に進み、原稿が上下開きでないと判定すると、図７に示す処理を終了する。
【００４７】
ステップＳ６１０では、画像回転方向判定部１４０４が、画像処理情報に含まれる、ページ数情報に基づいて、該当するページが、奇数ページか否かを判定する。画像回転方向判定部１４０４は、画像処理情報に含まれる、ページ数情報に基づいて、該当するページが、奇数ページであると判定すると、ステップＳ６１１に進み、該当するページが、奇数ページでないと判定すると、図７に示す処理を終了する。
【００４８】
ステップＳ６１１では、画像回転処理部１４０７が、画像の回転方向を更に＋１８０度とする。
図７に示す処理が終了すると、ホットフォルダマネージャ１４０１はホットフォルダ設定管理部１４０５に設定された自動処理を継続する。ホットフォルダマネージャ１４０１は、自動処理を終了すると、文書編集アプリケーション１４０２を起動し、必要に応じて回転処理された画像を、文書編集アプリケーション１４０２に渡し、処理引き継ぐ。
【００４９】
なお、別の実施形態として、画像回転処理部１４０７を、文書編集アプリケーション１４０２内にも持ち、画像回転処理をホットフォルダマネージャ１４０１で行わず、文書編集アプリケーション１４０２で実行するように構成してもよい。
【００５０】
つまりホットフォルダマネージャ１４０１は受信した画像を電子原稿データに変換するにあたり電子原稿データ作成時に画像自体を回転するか、画像自体は回転させず原稿の詳細な書式に回転方向を記載して電子原稿データを作成するか、二通りの動作が可能である。ホットフォルダマネージャ１４０１は、図８に示されるＵＩ７０１の設定に基づいて、前記二通りの動作の内、どちらか一方の動作を行う。図８は、受信した画像を電子原稿データに変換する際の動作を指定するＵＩの一例を示す図である。
【００５１】
画像自体の回転を行う場合、ホットフォルダマネージャ１４０１は、図７に示した回転方向の判定で判定された回転角度で画像回転処理を行い、電子原稿ファイル１１５にページとして保存する。その際、ホットフォルダマネージャ１４０１は、電子原稿ファイル１１５には、ページの回転角度として、０度、即ち回転無しの情報を保存する。
【００５２】
画像自体の回転を行わない場合、ホットフォルダマネージャ１４０１は、画像をそのまま電子原稿ファイル１１５にページとして保存する。その際、ホットフォルダマネージャ１４０１は、電子原稿ファイルには、ページの回転角度として、図７に示した回転方向の判定で判定された回転角度の情報を保存する。
また、別の実施形態としては、図７に示される画像回転方向判定部１４０４を画像読み取り制御装置１０８に持ち、回転方向の判定を、画像読み取り制御装置１０８で行う。そして、各画像の判定結果そのものを、画像処理情報として全画像分記録し、回転方向の判定結果を含む画像処理情報をクライアントＰＣ１１６に送信するように構成することもできる。
【００５３】
なお、電子原稿ファイルは、特定の出力デバイスを目的としない、ページ単位の原稿を詳細な書式をもって表現可能なデータ形式であり、例えば、ＰＤＦ形式や、ＳＶＧ形式等である。
【００５４】
また、本実施形態で示したフローチャートの各ステップは、その前後の処理が未完成にならない限り入れ替えることができる。
【００５５】
（その他の実施形態）
上述した実施形態におけるスキャナ１１７及び／又はクライアントＰＣ１１６における各処理機能は、各処理機能を実現する為のプログラムをメモリから読み出してＣＰＵ（中央演算装置）が実行することによりその機能を実現させる。ただし、これに限定さるものではなく、各処理機能の全部又は一部の機能を専用のハードウェアにより実現してもよい。また、上述したメモリは、不揮発性のメモリや、ＣＤ−ＲＯＭ等の読み出しのみが可能な記憶媒体、揮発性のメモリ、或いはこれらの組合せによるコンピュータ読み取り、書き込み可能な記憶媒体より構成されてもよい。
【００５６】
また、スキャナ１１７及び／又はクライアントＰＣ１１６内の各機能を実現する為のプログラムをコンピュータ読み取り可能な記憶媒体に記録する。そして、この記憶媒体に記録されたプログラムをコンピュータシステムに読み込ませ、実行することにより各処理を行ってもよい。なお、ここでいう「コンピュータシステム」とは、ＯＳや周辺機器等のハードウェアを含むものとする。
【００５７】
以上、上述した実施形態によれば、スキャナ１１７は、登録情報に基づいて、ユーザが選択した画像送信先のクライアントＰＣ１１６が、画像回転処理機能を有しているか否かを判定することができる。また、スキャナ１１７は、この判定結果に基づいて、読み取った画像に対して、回転処理を行ったり、又は、回転処理を行なわなかったりして、画像を送信先のクライアントＰＣ１１６に送信することができる。
【００５８】
つまり、ユーザは、画像の送信先の装置が画像回転処理機能を有しているか否かを意識することなく、操作を行なうことができる。
【００５９】
また、スキャナ１１７は、画像回転処理を行わず、画像をクライアントＰＣ１１６に送信する際、画像処理情報を画像に付加して送信することによって、画像回転処理機能を有するクライアントＰＣ１１６において、自動で画像回転処理を行うことができる。つまり、処理能力の高いクライアントＰＣ１１６において画像回転処理を速やかに行なうことができる。
【００６０】
また、クライアントＰＣ１１６は、画像処理情報にしたがって、受信した画像に画像回転処理を行って電子原稿を作成するか、画像回転処理を行わずに画像処理情報と共に保存した電子原稿を作成するか、切り替えて実行する。したがって、最終的に画像が正立する向きのまま配置されない場合にも、必要ない画像回転処理を行わずに済ませることができる。
【００６１】
よって、上述した実施形態によれば、画像形成装置から受信装置への読み取り画像の送信処理の高速化と、受信装置におけるユーザの操作負担の軽減を両立させることができる。
【００６２】
以上、本発明の好ましい実施形態について詳述したが、本発明は係る特定の実施形態に限定されるものではなく、特許請求の範囲に記載された本発明の要旨の範囲内において、種々の変形・変更が可能である。
【図面の簡単な説明】
【００６３】
【図１】画像読み取りシステムの構成を示す図である。
【図２】操作パネル１０３の操作に基づく処理の一例を示すフローチャートである。
【図３】定型登録情報の一例を示す図である。
【図４】クライアントＰＣ１１６上の文書処理システム１１３が定型業務登録を行うときの処理の一例を示すフローチャートである。
【図５】スキャナ１１７がスキャン動作を開始した後の判定処理の詳細を示すフローチャートである。
【図６】画像処理情報の一例を示す図である。
【図７】クライアントＰＣ１１６で受信した、画像に付加された画像処理情報に基づいて、文書処理システム１１３が画像回転方向を判定し、回転処理を行なう一例を示したフローチャートである。
【図８】受信した画像を電子原稿データに変換する際の動作を指定するＵＩの一例を示す図である。
【図９】操作パネル１０３に表示される操作ＵＩの画面の一例を示した図である。
【図１０】クライアントＰＣ１１６上の文書処理システム１１３が定型業務登録を行うときの認証操作の画面の一例を示す図である。
【図１１】クライアントＰＣ１１６上の文書処理システム１１３が定型業務登録を行うときの詳細設定の画面の一例を示す図である。
【図１２】クライアントＰＣ１１６上の文書処理システム１１３が定型業務登録を行うときの操作画面表示の一例を示す図である。
【図１３】スキャナ１１７のシステム構成の概要を示したブロック図である。
【図１４】クライアントＰＣ１１６上の文書処理システム１１３のシステム構成の概要を示したブロック図である。
【符号の説明】
【００６４】
１０８  画像読み取り制御装置
１１３  文書処理システム
１１６  クライアントＰＣ
１１７  スキャナ
【図１】
2007295520.tif 000003
【図２】
2007295520.tif 000004
【図３】
2007295520.tif 000005
【図４】
2007295520.tif 000006
【図５】
2007295520.tif 000007
【図６】
2007295520.tif 000008
【図７】
2007295520.tif 000009
【図８】
2007295520.tif 000010
【図９】
2007295520.tif 000011
【図１０】
2007295520.tif 000012
【図１１】
2007295520.tif 000013
【図１２】
2007295520.tif 000014
【図１３】
2007295520.tif 000015
【図１４】
2007295520.tif 000016